(57)【特許請求の範囲】
【請求項１】
ケース本体底壁の外表面に、把手を取着したコンパクトであって、
把手が、玉継手と、該玉継手と連結杆を介して連結され、指等を挿入可能な把持部材とからなり、
ケース本体底壁の外表面に、玉継手を支持する軸受部と、把持部材の収納部を設けたことを特徴とする把手付コンパクト。
【請求項２】
ケース本体に開閉自在に取り付けられた蓋体の後端縁に、ヒンジを介して把手を取着したコンパクトであって、
把手が、薄肉のヒンジと指等を挿入可能な把持部材とからなり、
蓋体の上面に、ヒンジが嵌合される凹溝と、把持部材の収納部を設けたことを特徴とする把手付コンパクト。
【請求項３】
把持部材が、円形リング、または連円環状リングであることを特徴とする請求項１または２記載の把手付コンパクト。
【発明の詳細な説明】
【技術分野】
【０００１】
本発明は、コンパクト、とくに使用中のコンパクトの落下を防止するようにした把手付コンパクトに関するものである。
【背景技術】
【０００２】
近年、コンパクト容器を外出時に携帯し、洗面所や電車、車の中で使用する人が多くなり、使用者が誤ってコンパクト容器を手から滑らせたときに、コンパクト容器が落下して、破損したり、化粧料が飛散するおそれがあった。
コンパクト容器の落下を防止するために、コンパクト容器にストラップを取付け、使用者がストラップに手を通してコンパクト容器の落下を防止するようにしたストラップ付コンパクト容器は、従来より知られている（特許文献１参照）。
【０００３】
上記従来のコンパクト容器は、チェーンの両端部を容器の側壁両端近くに一対の取付部を設けて取付けるようにし、使用時には、容器本体とチェーン等の輪との間に手首を通してコンパクト容器を手の平で掴んだり、或いは、環状ストラップを折りたたんで、その端部を留め具で容器側部に取付け、ストラップを輪にし、手首を通してコンパクト容器が落下しないようにしていた。
【特許文献１】特開２００１−１９７９２９号公報
【発明の開示】
【発明が解決しようとする課題】
【０００４】
しかしながら、コンパクト容器の側壁にチェーンや環状ストラップを取付けた場合には、コンパクト容器よりはみ出し、コンパクトとしての外観を損ねることとなった。
【０００５】
本発明は、上記の事情を考慮して、コンパクトに取着した把手全体をコンパクトの表面内に収納するようにし、コンパクトの外面形状が変わらないようにするとともに、把手の把持部材を廻動自在として、手指の挿入を容易にし、コンパクトを確実に保持できるようにした把手付コンパクトを提供することを目的とする。
【課題を解決するための手段】
【０００６】
本発明は、上記の課題を解決するため、把手付コンパクトとして、ケース本体底壁の外表面に、把手を取着したコンパクトであって、把手が、玉継手と、該玉継手と連結杆を介して連結され、指等を挿入可能な把持部材とからなり、ケース本体底壁の外表面に、玉継手を支持する軸受部と、把持部材の収納部を設けたことを特徴とする構成を採用する。
【０００７】
コンパクトの別実施例として、ケース本体に開閉自在に取り付けられた蓋体の後端縁に、ヒンジを介して把手を取着したコンパクトであって、把手が、薄肉のヒンジと指等を挿入可能な把持部材とからなり、蓋体の上面に、ヒンジが嵌合される凹溝と、把持部材の収納部を設けたことを特徴とする構成を採用する。
【０００８】
把持部材の実施例として、把持部材が、円形リング、または連円環状リングであることを特徴とする構成を採用する。
【発明の効果】
【０００９】
把手は、自在継手、または薄肉可撓性のヒンジ部を用いて取着され、把持部材は、方向変更自在となっており、使用者によって、手の大きさ、持ち方が変わるので、把持部材の向きは、指の方向、傾きに応じて自由に変えられ、把持部材内への指の挿入が容易にでき、コンパクトをしっかりと保持することができる。
また、把持部材、連結杆、ヒンジ部等は、コンパクトの表面から突出しないように収納部に収納されるので、外観を損なうことはない。
【発明を実施するための最良の形態】
【００１０】
次に、本発明の把手付コンパクトについて、実施例をあげ説明する。
【実施例１】
【００１１】
図１において、Ａはケース本体、Ｂはケース本体Ａの底面に取着された把手、Ｃはケース本体Ａに蝶番機構によって取着された蓋体である。
【００１２】
ケース本体Ａは、底壁１と、前壁２，側壁３と後壁４とからなり、それらの壁面によって化粧皿とパフの収納部５が形成されている。
【００１３】
図１、２、３に示すように、底壁１の裏面には、軸受部６と、円形の把手Ｂの収納部７が設けられており、軸受部６は、上部の凹部８と円形凹部９、円形凹部９の下部に設けられた嵌合部１０、および該嵌合部１０に嵌合された軸押さえ１１とから構成されている。
【００１４】
図３に示すように、軸押さえ１１は、内側に球帯状の係合面１２を形成し、外側面に開口１２ａを穿設した円弧状の押圧部１３によって形成され、把手Ｂの収納部７側には、切欠部１４が設けられている。
把手Ｂの収納部７は、円形凹部９の表面と面一とした円形凹部１５によって形成されている。
【００１５】
図１、２に示すように、把手Ｂは、玉継手１６と、連結杆１７と円形の把持リング１８とからなっており、把持リング１８の玉継手１６の反対側には、摘み１９が取り付けられている。
【００１６】
把手Ｂの取付けは、ケース本体Ａの底面を上面として軸受部６の凹部８にゴムリングを入れて、その上に、把手Ｂの玉継手１６を円形凹部９内に挿入しつつ載置して、玉継手１６の上より軸押さえ１１を嵌合部１０内に嵌挿すると、把手Ｂは、ケース本体Ａの軸受部６に玉継手１６が軸押さえ１１の球帯状の係合面１２によって締め付けられて保持され、軸受部６と玉継手１６によって自在継手が形成される。
【００１７】
ケース本体Ａの後壁４には、蝶番用の軸受２０ａ、２０ｂが設けられており、前壁２の中央部には、フック係止機構２１が設けられている。
【００１８】
図１に示すように、蓋体Ｃは、頂壁２２と前壁２３、後壁２４と側壁２５とからなっており、前壁２３の裏面には、蓋係止用のフック２６が設けられ、後壁２４には、蝶番用の取付部２７が設けられ、ケース本体Ａの軸受２０ａ、２０ｂと取付部２７の軸穴には軸ピンが差込まれ、蓋体Ｃは、ケース本体Ａに廻動自在に取着されている。
【００１９】
次に、本コンパクトの使用態様と作用効果について説明する。
コンパクトの使用にあたって、把持リング１８の摘み１９を持って把持リング１８を廻動して引き出し、図４に示すように、蓋体Ｃを開蓋して、引き出した把持リング１８に、例えば左手の中指を差込み、親指と人差し指、および薬指と小指によってケース本体Ａを把持し、右手でパフを持って化粧することができる。
その際、把持リング１８は、玉継手１６によって軸受部６に枢着されているので、指の角度に合わせて、自由に廻転し、持ちやすい角度でケース本体Ａを容易に持つことができる。
【００２０】
使用が終わったときには、把持リング１８から手指を抜き取り、把持リング１８の中心軸を把手Ｂの収納部７の中心点の方向に向けて倒していくと、連結杆１７が切欠部１４に挿入され、把持リング１８は、円形凹部１５内に嵌挿される。
【実施例２】
【００２１】
次に、把手の把持リングを二つの円弧部を接続した連円環状とした第２実施例について説明する。
【００２２】
図５において、Ａａはケース本体、Ｂａは把手である。
把手Ｂａは、玉継手１６ａと連結杆１７ａ、および二つの円弧部を接続した連円環状の把持リング３０とからなっており、ケース本体Ａａには、把手Ｂａの軸受部６ａと把持リング３０と同形のリング収容部３１が設けられている。
【００２３】
ケース本体Ａａのその他の部分の構成、蓋体の構成は、前第１実施例と同一であるので、説明を省略する。  
【００２４】
本実施例は、把持リング３０が連円環状であるので二本の指を挿通することができ、ケース本体Ａａを、一層安定的に、確実に保持することができるという作用効果を得ることができる。
【実施例３】
【００２５】
次に、把手とケース本体をヒンジによって連結した第３実施例について説明する。
【００２６】
図６において、Ａｂはケース本体、Ｂｂは把手、Ｃｂは蓋体である。
本実施例では、把手Ｂｂは、蓋体Ｃｂに取着されている。
ケース本体Ａｂは、底壁４０と、底壁４０の端縁から立設された前壁４１、側壁４２，後壁４３とからなり、前壁４１にはフック係止機構４４が、後壁４３には蝶番用軸受４５が設けられている。
【００２７】
蓋体Ｃｂは、頂壁４６と、頂壁４６から垂設された前壁４７、側壁４８、後壁４９とからなり、頂壁４６の前端下面には、フック５０が垂設され、後壁４９の中央部には、蝶番用の取付部５１が設けられている。
取付部５１の上端部５１ａから把手Ｂｂの連結部として薄肉のヒンジ５２が連設され、ヒンジ５２の先端には、所定の位置に摘み５３を設けた把持リング５４が連設されている。
【００２８】
蓋体Ｃｂの頂壁４６には、ヒンジ５２が嵌合される凹溝５５が刻設され、凹溝５５に続いて把持リング５４を保持するための円形状の凹部５６が刻設されている。
【００２９】
コンパクトの使用にあたっては、把持リング５４を凹部５６から引き出し、図７に示すように、蓋体Ｃｂを開蓋すると、把持リング５４は下方に垂下することになり、人差し指、または中指を通すと、蓋体Ｃｂの蝶番機構の近接した部分を保持することになり、コンパクトの保持は、一層確実に摘みやすくなる。
また、ヒンジ５２は薄肉で可撓性を有しているので、自由に廻動でき、指の方向に応じて把持リング５４の向きを変えることができるので、把持が容易となった。
【００３０】
把持リング５４の位置、ヒンジの取付部、ヒンジの長さは、コンパクトの大きさに応じて適宜に設定できることであり、ヒンジ取付部を頂壁後端部とし、ヒンジの長さを短くすることもできる。
また、把持リングの形状を、第２実施例に示す二つの円弧を接合した連円環状としてもよい。
【００３１】
上記各実施例では、把持リングの形状を円形、または二つの円弧状を接続した連円環状としたが、楕円形状、或いは角部を円弧とした多角形状の把持リングであってもよい。
また、把持リングに替え、Ｔ字状、または錨状の把持部材とし、二本の手指間で挟持するようにしてもよく、前記各実施例で説明した把持部材に限定されない。
【００３２】
前記第１、第２実施例では、軸受部を、ケース本体底壁裏面の中心部近くに配設し、蝶番側に把時リングの保持部を配設しているが、蝶番側に軸受部を配設し、中心側に保持部を配設してもよい。
【００３３】
上記実施例では、軸受部を設けるため、底壁を厚くしているが、軸受部をケース本体の仕切壁（図示しない）、または後壁の下方に位置させることによって、底壁全体の厚さを薄くすることができる。
また、軸受部の位置は、把持リングの形状を選択することによって適宜に設定できる。
【産業上の利用可能性】
【００３４】
コンパクトのケース本体の裏面、または蓋体の後壁に、把持部材を、玉継手、または可撓性のヒンジを介して取着するとともに、把持部材をコンパクトから突出しないように収納部を設けたので、外観の見栄えも変わらず、使用時にコンパクトをしっかりと保持できるようになった。
本発明の把持部材は、コンパクトばかりではなく、携帯用の鏡、化粧用品等にも適用できる。
【図面の簡単な説明】
【００３５】
【図１】本発明第１実施例のコンパクトの一部断面立面図である。
【図２】コンパクトの底面図である。
【図３】軸受部の拡大説明図で、（ａ）は縦断面図、（ｂ）は底面図である。
【図４】コンパクト使用時の底面斜視図である。
【図５】第２実施例の把手を説明するコンパクトの底面図である。
【図６】第３実施例のコンパクトの断面立面図である。
【図７】コンパクトの蓋体の開蓋時の断面立面図である。
【符号の説明】
【００３６】
Ａ、Ａａ、Ａｂ  ケース本体
Ｂ、Ｂａ、Ｂｂ  把手
Ｃ、Ｃａ、Ｃｂ  蓋体
６、６ａ        軸受部
７、７ａ        収納部
９、１５        円形凹部
１０            嵌合部
１１            軸押さえ
１２            係合面
１３            押圧部
１４            切欠部
１６            玉継手
１７            連結杆
１８、３０、５４  把持リング
１９            突起
３１            リング収納部
５２            ヒンジ
５３            摘み
５５            凹溝
５６            凹部
【図１】
0004679828.tif 000002
【図２】
0004679828.tif 000003
【図３】
0004679828.tif 000004
【図４】
0004679828.tif 000005
【図５】
0004679828.tif 000006
【図６】
0004679828.tif 000007
【図７】
0004679828.tif 000008